(57)【要約】【課題】  苗植機の防波板は、サイドフロートの前部外側に沿って設けるが、前後に長い形態として、防波効果の有効を図ろうとすると、接地抵抗が大きくなり易い。とくに、硬い土塊や、わら屑等があると、防波板がこれらを押したり、乗り越えるようにして推進するために、接地抵抗が大きくなり、苗植装置も曲進し易く、操向性が悪くなる。【解決手段】  苗植土壌面を滑走するフロートの前部外側に、前後方向に沿う防波板３と、この防波板３の前端部に回転自在の防波ディスク２を設け、これら防波板３と防波ディスク２との間の左右方向の防波間隔Ｌを、上端側を狭くするのに対して下端側を広くする下開形態に設けた。【選択図】  図１
2008079573.tif 000002
【特許請求の範囲】
【請求項１】
苗植土壌面を整地するフロート（１）の前部外側に、前後方向に沿う防波板（３）と、この防波板（３）の前端部に回転自在の防波ディスク（２）を設け、これら防波板（３）と防波ディスク（２）との間の左右方向の間隔（Ｌ）を、上端側が下端側より狭い構成としたことを特徴とする苗植機の防波装置。
【発明の詳細な説明】
【技術分野】
【０００１】
この発明は、苗植機のフロート滑走によって押寄せる泥水波が、隣接植付苗条へ直接流入しないように遮断する防波装置に関し、防波板の接地推進抵抗を軽減するものである。
【背景技術】
【０００２】
苗植装置のフロートの前部外側に回転自在の防波ディスクや、防波板を設ける技術（例えば、特許文献１参照）が知られている。
【特許文献１】特開２００６ー７５０７４号公報（第２頁、図１）。
【特許文献２】実用新案登録第２５０９６４９号公報（第３頁、図１）。
【発明の開示】
【発明が解決しようとする課題】
【０００３】
苗植機の防波板は、サイドフロートの前部外側に沿って設けるが、前後に長い形態として、防波効果の有効を図ろうとすると、接地抵抗が大きくなり易い。とくに、硬い土塊や、わら屑等があると、防波板がこれらを押したり、乗り越えるようにして推進するために、接地抵抗が大きくなり、苗植装置も曲進し易く、操向性が悪くなる。
【課題を解決するための手段】
【０００４】
請求項１に記載の発明は、苗植土壌面を整地するフロート１の前部外側に、前後方向に沿う防波板３と、この防波板３の前端部に回転自在の防波ディスク２を設け、これら防波板３と防波ディスク２との間の左右方向の間隔Ｌを、上端側が下端側より狭い構成としたことを特徴とする苗植機の防波装置の構成とする。苗植機の苗植装置やフロート１等と一体的に推進する防波ディスク２が、土壌面に対する接地抵抗を受けて回転しながら、この土壌面を切込むようにして推進して切込溝部を形成する。この切込溝部、乃至切込溝の形成された付近を後側の防波板３が推進する。このとき、防波板３と防波ディスク２との間の間隔Ｌにおける防波板３と防波ディスク２との間での泥土の塊や藁屑等の詰りや、停滞をなくして、泥水流の掻込案内、乃至は後方への流出案内を円滑に行わせて、横側の既苗植付条への泥水流波の伝播を小さくし、上側では両者の接近による幅狭い間隔Ｌ１によって防波ディスク２による泥土や、藁屑等の巻上げを防止すると共に、防波ディスク２によって巻き上げられた泥土や藁屑等を掻落すようになり、このため、防波板３が土壌面を摺動推進するときの接地抵抗が小さくなる。又、防波作用域は、これら防波ディスク２と防波板３との前後長域にわたって長く形成することができ、防波効果を高める。
【発明の効果】
【０００５】
請求項１に記載の発明は、防波板３は、前部の防波ディスク２の回転によって切込まれた土壌面の切込溝跡近傍部を摺動推進するため、土壌面に硬い土塊や、わら屑等があっても、この前側の防波ディスク２の回転によって容易に切込んで割ったり、切分けたり、更には土壌面下深くに押込むこと等ができるため、この切込溝跡近くを後続推進する防波板３の推進抵抗を軽減することができる。このとき、間隔Ｌにおける防波板３と防波ディスク２との間での泥土の塊や、藁屑等の詰りや停滞をなくして、泥水流の掻込案内、乃至は後方への流出案内を円滑に行わせて、横側の既苗植付条への泥水流波の伝播を小さくし、この間隔Ｌの上部側では両者の接近によって防波ディスク２によって巻上げられようとする泥土や藁屑等を少なくすると共に、これら泥土や、藁屑等が掻上げられようとしても、これらを掻落して、防波板３が土壌面を摺動推進するときの接地抵抗が小さくすると共に、防波作用域を、これら防波ディスク２と防波板３との前後長域にわたって長く形成して防波効果を高めることができる。
【発明を実施するための最良の形態】
【０００６】
図例に基づいて、苗植機車体６は、ステアリングハンドル７で操向する前輪８と、後輪９を有し、運転席１０を搭載のシートカバー１１下に配置のエンジン１２によって伝動駆動して走行する乗用四輪走行形態の構成とし、この後部に四辺状のリンク１３を介して苗植装置１４を装着し、リフトシリンダ１５の伸縮によって昇降可能に構成する。苗植装置１４は、リンク１３後端のリンクヒッチ１６に対してローリング軸１７周りにローリング自在にして連結の苗植フレーム１８の下側に、左右幅方向中央部のセンタフロート４と、この両側部のサイドフロート１を配置し、土壌面に滑走支持する。この苗植フレーム１８の上方には、マット状形態に育苗した苗収容して後部下方へ繰出す多条植え形態の苗タンク２０を左右往復移動可能に設け、後端部には、楕円形状の植付軌跡線Ｄを描いて苗植付作動する植付爪２１を設けて、各対応の苗タンク２０から繰出される苗を分離保持して土壌面へ挿植する多条植え形態に構成している。該苗タンク２０の後端下部には、横方向に沿うタンクガイド２２を設け、各苗タンク２０の下端口部を摺動案内すると共に、各苗タンク２０毎に各植付爪２１を作用させる苗取口２３を形成する。
【０００７】
前記各フロート１、４の支持構成について、苗植フレーム１８のフロート支軸２４から後方下部に向けてフロートアーム２５を突出させて、このフロートアーム２５をフロート支軸２４周りに上下回動調節可能に設ける。このフロートアーム２５の後端部に横方向のフロート軸２６を設けて、各フロート１、４のブラケット２７を回動自在に支持し、各フロート１、４は滑走時の土壌抵抗を受けて前端部が上下回動自在となるように支持する。このセンタフロート４の上下回動によって、前記リフトシリンダ１５の油圧制御弁を切替て、このリフトシリンダ１５を伸縮し、苗植装置１４全体を昇降させることにより、苗植付爪２１による苗植付深さを一定に維持するように構成している。植付作用中に土壌面が深くなりセンタフロート４が上動すると、苗植装置１４を上昇させ、又、逆に土壌面が浅くなりセンタフロート４が下動すると、苗植装置１４を下降させて、苗植付深さを一定にするように制御する。この苗植深さを変更するために、前記フロート支軸２４周りに回動可能の操作レバー２８を設け、この操作レバー２８の回動位置を、苗植フレーム１８と一体のラックレバーガイド２９に係合させることによって、上下回動操作位置を係止することができると共に、前記フロートアーム２５を上下回動させて、苗植フレーム１８に対するフロート１、４の支持位置を上下調節して植付深さを調節する。
【０００８】
前記各フロート１、４は、前半部分のフロート幅を広く張出形成して、均平部３２を形成し、全体として平面視略Ｔ字状形態に構成し、植付爪２１をこの各フロート１、４の左右両側の均平部３２の後側に作動させるように配置する。苗タンク２０の各苗取口２３から分離した苗を均平された土壌面に挿植する。
【０００９】
ここにおいて、この発明にかかる防波装置は、苗植土壌面を滑走するフロート１の前部外側に、前後方向に沿う防波板３と、この防波板３の前端部に回転自在の防波ディスク２を設け、これら防波板３と防波ディスク２との間の左右方向の防波間隔Ｌを、上端側を狭くするのに対して下端側を広くする下開形態に設けたことを特徴とする苗植機の防波装置の構成とする。苗植機の苗植装置やフロート１等と一体的に推進する防波ディスク２が、土壌面に対する接地抵抗を受けて回転しながら、この土壌面を切込むようにして推進して切込溝部を形成する。この切込溝部、乃至切込溝の形成された付近を後側の防波板３が推進する。このとき、防波間隔Ｌは、下開形態であるため、この防波間隔Ｌにおけるこれら防波板３と防波ディスク２との間での泥土の塊や藁屑等の詰りや、停滞をなくして、泥水流の掻込案内、乃至は後方への流出案内を円滑に行わせて、横側の既苗植付条への泥水流波の伝播を小さくし、この間隔Ｌの上部側では両者の接近によって防波ディスク２によって巻上げられようとする泥土や藁屑等を少なくすると共に、この巻上げられようとする泥土や、藁屑等を掻落して、このため、防波板３が土壌面を摺動推進するときの接地抵抗が小さくなる。又、防波作用域は、これら防波ディスク２と防波板３との前後長域にわたって長く形成することができ、防波効果を高める。
【００１０】
又、前記防波板３を苗植装置１４に対して上下動可能に設ける形態として、防波ディスク２や、防波板３は、下縁を土壌面上に接近させることによって、この土壌面上に盛上がって流動しようとする泥水波の、横側隣接の植付苗条に対して直接の流込みを防止する。このため、苗植装置１４の深さや、植付深さ等によっては、これら防波板３等の土壌面に対する作用深さが、深過ぎたり、浅過ぎたりすることがある。このようなときは、これら防波ディスク２や、防波板３を一体として苗植装置１４に対して上下に移動調節して、接地抵抗を小さくして、しかも、有効な防波機能を維持させる。
【００１１】
前記防波板３は、フロート１、４の底面より深い位置から、この上面、乃至上面よりも高い位置にわたる高さに形成すると共に、前端縁部をソリ状傾斜縁３０を形成し、サイドフロート１の前端部よりも前方位置から、このフロート１の均平部３２位置にわたって垂直板形態に形成される。この防波板３を、サイドフロート１の外側方適宜間隔位置において前後方向にわたる長さにして設け、この防波板３の前端部の外側にディスク軸５によって防波ディスク２を回転自在に設ける。この防波ディスク２はスプロケット円盤形態に形成し、回転径を防波板３の下端縁３１よりも下位に深く突出して回転可能に構成する。
【００１２】
このような防波板３の苗フレーム１８に対する取付は、苗植フレーム１８の外側部に取付ブラケット３５、３６を介して苗タンクガード３７を取付けると共に、前後方向に沿う取付杆３８を構成し、この取付杆３８の前後端部の回動軸４０周りに前後回動自在の平行状吊下ロッド３９を設け、この前後一対の吊下ロッド３９の下端部に防波板３の前後上縁部を吊下ピン４１周りに回動自在に取付ける。前記操作レバー２８とこの防波板３との間をワイヤー４２で連結して、この操作レバー２８を上下回動することによって、防波板３を前後に回動して、上下高さを変更調節することができる。この防波板３の上下動は、前後一対の平行リンク形態の吊下ロッド３９を介して行われるため、平行状態を維持して行われる。操作レバー２８を上下方向Ａ、Ｂへ回動することによって、フロートアーム２５を下側、上側に回動して、このフロート１、４による苗植フレーム１８の支持高さを高、低に移動させて、苗植付爪２１による苗植付深さを浅、深に変更調節することができる。これに伴って防波板３は、植付深さを浅くＡ調節すると下動し、植付深さを深くＢ調節すると上動するように連動される。
【００１３】
苗植機の走行推進によって、苗植装置１４の各フロート１、４が泥土面を滑走して、苗植装置１４自体の重量を支持して均平部３２で土壌面を均平し、この均平土壌面に植付爪２１が苗タンク２０から分離保持した苗を植付ける。このとき左右両側部のサイドフロート１の外側部では、防波板３及び防波ディスク２が、このサイドフロート１の前部外側部に沿って土壌面に浅く切込まれて推進し、これらサイドフロート１や、センターフロート２等によって、推進方向へ押し寄せられる泥水波を外側の隣接既植付苗条側へ直接流出させないように仕切って、後方側へ流動案内させる。この泥水波を案内する場合に、防波板３の下端縁３１が土壌面を切込推進するとき、この前端部の防波ディスク２がディスク軸５周りに摩擦回転されながら土壌面に切込まれるため、硬い土塊や、わら屑等があっても、破砕されたり、切断、乃至土壌面に押込まれる等によって、後続の防波板３の切込推進抵抗を少なくし、円滑に推進して、防波効果を高める。
【００１４】
苗植土壌面を滑走するフロート１の前部外側適宜の間隔Ｅ位置に、前後方向に沿う防波板３を設け、この防波板３の前端部外側位置において、この防波板３の軸受ボス３３部にディスク軸５を軸受して回転自在の防波ディスク２を設ける。これら防波板３の外側面に対する防波ディスク２の内側対向面との間に形成される左右方向の防波間隔Ｌが、上端側Ｌ１を狭くするのに対して下端側Ｌ２をこれよりも広くするようにディスク軸５の方向を決めて軸受設定して、下開き形態に形成する。図４のように、この防波板３の板面を略垂直状態に設定して、防波ディスク２を外側下がりの傾斜状態に設定するか。又は、防波ディスク２を垂直状態に設定して、防波板３側を内下がりの傾斜状態に設定することも可能である。また、図例では、防波ディスク２を、外周縁にスプロケット状形態の凹凸縁を形成した直円盤状形態の構成としたが、これに代えて円錐形状、乃至皿形状曲面の形態に形成することもできる。さらには、この防波間隔Ｌを前開き状、乃至後開き状に傾斜することもできる。防波ディスク２のディスク軸５を防波板３側の軸受ボス３３に対して前、後に傾斜させて、防波板３に対して前開き状、又は後開き状に傾斜する形態に構成することもできる。
【００１５】
苗植機の苗植装置やフロート１等と一体的に推進する防波ディスク２が、土壌面に対する接地抵抗を受けて回転しながら、この土壌面を切込むようにして推進して切込溝部を形成する。この切込溝部、乃至切込溝の形成された付近を後側の防波板３が推進する。このとき、防波間隔Ｌは、下開き形態であるため、この下部での幅広いＬ２防波間隔Ｌにおける、これら防波板３と防波ディスク２との間での泥土の塊や藁屑等の詰りや、停滞をなくして、泥水流の掻込案内、乃至は後方への流出案内を円滑に行わせて、横側の既苗植付条への泥水流波の伝播を小さくし、上側では両者の接近による幅狭い間隔Ｌ１によって防波ディスク２による泥土や、藁屑等の巻上げを防止すると共に、巻上げられようとする泥土や、藁屑等を掻落すようになり、このため、防波板３が土壌面を摺動推進するときの接地抵抗が小さくなる。又、防波作用域は、これら防波ディスク２と防波板３との前後長域にわたって長く形成することができ、防波効果を高める。
【００１６】
前記防波ディスク２付きの防波板３を前後一対の吊下ロッド３９の略直下位置から後方上部に向けて逃がすように回動させることによって、土壌面に対する切込抵抗を小さくするように構成している。又、これら吊下ロッド３９の回動支点である回動軸４０はサイドフロート１前部よりも上方部に位置させている。又、前記タンクガード３７は、苗植フレーム１８の取付ブラケット３５に対して取付基部４３を横方向へ移動調節可能に設けている。又、このタンクガード３７と防波板３を取付ける取付杆３８とをに一体構成として、このタンクガード３７の外側への移動調節と共に、防波ディスク２付きの防波板３をも一体的に横方向へ移動調節可能の構成にすることもできる。
【００１７】
前記防波ディスク２付きの防波板３を、吊下ロッド３９を介して上下に移動調節可能の構成としているが、同様の機構を介して前後方向に移動可能の構成として、防波作用位置をサイドフロート１に対して前後方向に変更可能にして、隣接植付条苗に対する泥土流の影響を少くするように構成することもできる。又、前記防波ディスク２を防波板３の外側に取付けたが、逆に、防波板３の内側に取付ける形態とすることもできる。
【００１８】
このような防波板３及び防波ディスク２は、図７のように取付杆３８に設けた操作レバー２８によって吊下ロッド３９を前後に揺動させることができるが、この取付杆３８を取付支持する取付ボス４５に前記苗タンクガード３７の取付基部４３をセットピン４６の抜き差しによって回動可能に設けて、この苗タンクガード３７を横方向Ｓへ向けた状態では防波板３等の外側に位置して苗タンク２０等の横端部の畦際等への衝突を防止するタンクガードとしての役割を果たし、この苗タンクガード３７を下側Ｔへ回動すると、床面に接地支持して苗植装置１４を支持するスタンドとしての役割を果たし、又、上側Ｈへ回動して収納状態にすることができる。
【００１９】
又、前記フロート１、４の底面には中央部に沿って適宜幅、乃至深さの底溝１９を形成して、この底溝１９に沿って一部の泥土を案内することによって、各フロート１、４の滑走直進性を安定させるように形成しているが、図８のように、前記防波板３の内側に、この防波板３側からサイドフロート１の前端の底溝１９部へ向けて泥水の一部を掻寄案内する案内板４７を形成することができる。この案内板４７により泥水の一部がサイドフロート１の底溝１９部に案内されて、このサイドフロー１と防波板３との間の間隔Ｃ部を抜ける泥水の流量が少なくなり、隣接苗植条への泥水流波の影響を軽減することができる。
【００２０】
前記苗植装置１４について、苗タンク２０を、苗植フレーム１８と一体に設けた左右横方向のスライドレール５９上に摺動自在に支持するが、図９のように、この苗タンク２０の後下端底面とスライドレール５９上面との間に給油する給油口５０を、苗タンク２０の裏面部で、各苗タンク２０毎の左右一対の繰出ベルト５１間の間隔部５２に設け、この間隔部５２の後上部に沿ってビニールチューブ等からなる給油チューブ５３を延長して、この給油チューブ５３の上端を苗タンク２０の底板５４に形成の給油口５５に望ませる。この給油口５５はゴム製の漏斗キャップ５６を嵌合して、この漏斗５７の底面に形成の給油口５５から油差しの給油ノズル５８を差込んで給油する。この漏斗キャップ５６の漏斗５７の苗繰出側の下端縁側の傾斜面Ｆを、水平面Ｅよりも下り急傾斜ｆに形成している。この漏斗キャップ５６の漏斗５７傾斜によって、作業中等において雨水等が苗タンク２０の底板５４上面を流下しても、この給油口５５から給油チューブ５３側への浸入を阻止することができるように構成している。
【００２１】
次に、主として図１０に基づいて、苗タンク２０には、マット状に育苗されたマット苗Ｎの上面を押さえるための苗押杆６１を配置するが、この苗押杆６１を長くするように着脱可能の継足杆６２を設けたものである。この継足杆６２は合成樹脂製で弾性クリップ６３を形成して、この弾性クリップ６３部を苗押杆６１に嵌合させて挟持することによって取付けることができ、苗押杆６１の前側に継足杆６２を延長することができる。苗押杆６１は上端部を苗タンク２０の上方に横架設した支持杆６４に沿って適宜間隔に配置して、下端部をマット苗Ｎの苗床上面に沿わせて、このマット苗Ｎの浮上がりを防止する。育苗形態によってはこの苗押杆６１の長さが短すぎることがあり、このため、マット苗Ｎを継足供給したときに、この苗の継目が苗押感６１部を過ぎると前側の少なくなったマット苗Ｎが、後側の新たに供給されたマット苗Ｎによって押されて底板５４面から浮上されて、ブリッジ現象を生じて、苗供給状態を乱すものである。しかしながら、このような場合は前記継足杆６２を取付けることによって、苗押行程を延長して苗継目部のブリッジ現象を無くして、マット苗Ｎ供給状態を均一に揃えることができる。
【００２２】
次に、主として、図１１に基づいて、車体６に対する苗植装置１４の取付構成を平行リンク１３側のリンクヒッチ１６と、苗植装置１４側の苗植フレーム１８に設けるクロスリンク６６、６７とによって簡単に行わせるものである。該リンクヒッチ１６の上端には掬上フック６８を形成し、この下側には係合フック６９を形成する。又、クロスリンク６６、６７は、苗植フレーム１８上部のブラケット７０の上下にピン７１、７２で連結しているが、これらの中間部を交差させると共に、この交差部において、一方のクロスリンク６６に設けるクロスピン７３を、他方のクロスリンク６７に沿って形成の長穴７４に嵌合させている。これらクロスリンク６６、６７の前端部に形成する連結ピン７５、７６の内、上側の連結ピン６６を前記リンクヒッチ１６上の掬上フック６８で掬上げることによって、苗植装置１４の重量とクロスリンク６６、６７の作用によって、苗植装置１４を前側へ引寄せるようにして移動させながら、下側の連結ピン７６をこのリンクヒッチ１６の係合フック６９に係合させて苗植装置１４を取付けることができる。
【００２３】
次に、主として図１２に基づいて、前記苗植装置１４を取付けるとき、リンクヒッチ１６を押下げることによって、苗植装置１４を引寄せるように回動させて、この苗植装置１４のブラケット７０部をこのリンクヒッチ１６に連結するものである。苗植装置１４は左右横端に支持軸７８を有し、この支持軸７８をスタンド７９に支持させておくことができる。しかも苗植装置１４はこの支持軸７８の周りに回動自在の状態とすることができる。前記苗植フレーム１８上部のブラケット７０の前側下端部には、フック８０を形成し、上端部には連結ピン８１を設ける。又、前記リンクヒッチ１６の下端部にはこのフック８０に嵌合する連結ピン８２を設け、上端部には該連結ピン８１を係合させる係合フック８３を形成する。スタンド７９に支持している苗植装置１４は、重量バランスによって苗タンク２０部が後位になるように傾斜している。そこで車体６を、リンクヒ６チ１６を上昇させた状態で後退させて苗植装置１４部に接近させる。そして、リフトシリンダ１５の作動によってリンクヒッチ１６を下降させながら、連結ピン８２をブラケット７０側のフック８０へ押下げるようにして押付ける。この押付けによって苗植装置１４が支持軸７８の周りに前側へ回動されて、上側の連結ピン８１を係合フック８３の係合させて連結することができる。
【００２４】
次に、主として図１３〜図１５に基づいて、前記この苗植機は、苗タンク２０の繰出ベルト８６の駆動、乃至駆動量等を制御する苗送制御と、畦際での苗植作業では一部の苗植付条の植付を停止して作業する畦クラッチとを有する。この形態では、この苗送制御のポテンショメータ８７と、畦クラッチの切り位置を検出するセンサスイッチ８８とを各別に設けることによって、制御構成を簡単にすると共に、誤作動を少なくするものである。苗タンク２０が横端へ移動される毎に、駆動アーム８９の回転圏内に従動アーム９０が位置して、カウンタアーム９１や、リンク９２、ラチエットアーム８５等を介して繰出ベルト８６が一齣駆動されて、マット苗の繰出作用を行う。このとき、この繰出ベルト８６の駆動量を検出する苗送量センサ９３を設けている。又、モータ９４によってピニオン９５や、扇形ギヤ９６、リンク９７等を介して、前記柔道アーム９０と一体のカウンタアーム９１上の長穴９８とピン９９を介して係合連動し、このカウンタアーム９１を回動角度を変えることによって、この従動アーム９０の回動による苗送量を変更するように構成している。この扇形ギヤ９６によってＯＮ、ＯＦＦするセンサスイッチ８８と、回動量を検出するポテンショメータ８７とを設ける。このセンサスイッチ８８は、従動アーム９０を駆動アーム８９の回動係合域から完全に退避した状態の、畦際クラッチの切り位置を検出するものである。又、、ポテンショメータ８７は、この扇形ギヤ９６の回動角を検出するものである。畦際での苗植作業時に畦クラッチレバー１００を操作して、畦際植付停止条位置の植付爪２１の作動を停止するときは、この畦クラッチレバー１００によってモータスイッチ１０１をＯＮして、モータ９４を駆動する。センサスイッチ８８がＯＮになるまでカウンタアーム９１を回動させて、この畦際植付停止条位置の苗タンク２０における繰出ベルト８６を止めて苗送りを停止させる。
【００２５】
次に、主として図１６に基づいて、前記苗植機の苗植作業時間や、前記マット苗Ｎの使用枚数等検出制御して管理するものである。苗タンク２０にマット苗Ｎが供給されたことを、この苗タンク２０に設ける苗減少スイッチ１０５によって、この苗タンク２０の苗が苗植付作用により所定残量にまで減少したことを検出して、この苗減少スイッチ１０５が入りになる毎に作業時間をタイマー１０６でカウントさせる。この苗減少スイッチ１０５の入りの回数により苗の使用枚数を確認することができる。又、このような実苗植付作業時間の管理制御には、コントローラ１０７の入力側に、エンジン１２が駆動されていることを検出するエンジンセンサ１０８や、苗植装置１４の植付クラッチが入りになっていることを検出する植付クラッチセンサ１０９等を設け、出力側には、作業時間を計算するためのタイマー１０６や、この時間をデジタル表示する表示器１１０等を配置している。
【図面の簡単な説明】
【００２６】
【図１】防波板部の斜視図。
【図２】苗植装置部の側面図。
【図３】その平面図。
【図４】その防波ディスクの防波板に対する取付形態例を示す正面図。
【図５】苗植機の側面図。
【図６】その概略平面図。
【図７】防波板や、苗タンクガードの取付け例を示す斜視図と、その正面図。
【図８】防波板や、苗タンクガードの取付け例を示す斜視図と、その平面図。
【図９】苗タンク給油口部の側面図。
【図１０】苗タンク苗押えガイド部の斜視図と、その取付状態を示す側面図。
【図１１】苗植装置の連結構成を示す側面図。
【図１２】苗植装置の連結構成を示す側面図。
【図１３】苗タンクの繰出ベルト部の側面図。
【図１４】その平面図。
【図１５】その制御ブロック図。
【図１６】苗植機による苗植作業時間の管理制御の制御ブロック図と、フローチャート。
【符号の説明】
【００２７】
１    サイドフロート
２    防波ディスク
３    防波板
４    センタフロート
５    ディスク軸
１４  苗植装置
Ｌ    間隔
【図１】
2008079573.tif 000003
【図２】
2008079573.tif 000004
【図３】
2008079573.tif 000005
【図４】
2008079573.tif 000006
【図５】
2008079573.tif 000007
【図６】
2008079573.tif 000008
【図７】
2008079573.tif 000009
【図８】
2008079573.tif 000010
【図９】
2008079573.tif 000011
【図１０】
2008079573.tif 000012
【図１１】
2008079573.tif 000013
【図１２】
2008079573.tif 000014
【図１３】
2008079573.tif 000015
【図１４】
2008079573.tif 000016
【図１５】
2008079573.tif 000017
【図１６】
2008079573.tif 000018